(57)【要約】【課題】ラベル発行装置毎に商品情報の再設定を行うことなく、共通の商品情報を用いて、ラベルの貼付態様や発行態様に対応させて最適な印字を行う。【解決手段】ラベル発行装置４０は、ロール状のラベル用紙を繰り出し、所定の印字フォーマットを基に印字部でラベル用紙に商品情報を印字しラベル発行する。ラベル発行装置は、商品の識別情報と商品情報とを関連付けて記憶する商品情報記憶部と、商品に貼付するラベルの発行後更にその商品に貼付するラベルを発行するラベル発行態様に対応する特定文字列を記憶する特定文字列記憶部と、商品の識別情報を入力する入力部と、印字部を制御する制御部とを有する。制御部は、入力部から識別情報が入力された場合、商品に貼付するラベルの発行後に、更にその商品に貼付するラベルを発行するラベル発行態様である場合にのみ特定文字列を含め、印字部で識別情報に対応する商品情報をラベル用紙に印字する処理を行う。【選択図】図１
2014028644.tif 000002
【特許請求の範囲】
【請求項１】
ロール状のラベル用紙を繰り出し、所定の印字フォーマットに基づいて印字部で前記ラベル用紙に商品情報を印字して商品に貼付するラベルを発行するラベル発行装置であって、
前記商品の識別情報と商品情報とを関連付けて記憶する商品情報記憶部と、
前記商品に貼付するラベルの発行後に更にその商品に貼付するラベルを発行するラベル発行態様に対応する特定文字列を記憶する特定文字列記憶部と、
商品の識別情報を入力する入力部と、
少なくとも前記印字部を制御する制御部と、を有し、
前記制御部は、前記入力部から前記識別情報が入力された場合、前記商品に貼付するラベルの発行後に更にその商品に貼付するラベルを発行するラベル発行態様である場合にのみ前記特定文字列を含め、前記印字部で前記識別情報に対応する商品情報を前記ラベル用紙に印字する処理を行うことを特徴とするラベル発行装置。
【請求項２】
前記制御部は、前記識別情報に対応する商品情報が前記所定の印字フォーマットに収まらない場合、前記商品に貼付するラベルの発行後に更にその商品に貼付するラベルを発行するラベル発行態様に切り換え、前記印字部で前記特定文字列を含め前記ラベル用紙に印字する処理を行うことを特徴とする請求項１に記載のラベル発行装置。
【発明の詳細な説明】
【技術分野】
【０００１】
本発明は、ラベル発行装置に関する。
【背景技術】
【０００２】
ラベルを発行し、そのラベルを商品である包装物などに貼付するラベル発行装置が知られている（例えば、特許文献１参照）。
また、台紙付きラベルからラベルを剥離発行し、そのラベルを商品に貼付する台紙付きラベル発行装置や、台紙レスラベルを所定長の枚葉状に断裁発行し、そのラベルを商品に貼付する台紙レスラベル発行装置が知られている。
【０００３】
ところで、台紙付きラベルは、ラベルサイズ（縦横サイズ）が固定であり、ラベル内に印字可能な文字数や内容などが規定されている。このため、ラベルの貼付態様は、印字内容の情報量が多い場合、商品の表面貼付用のラベルと、裏面貼付用のラベルの２種類を発行し、包装された商品の表裏面に各ラベルを貼付することがある。例えば、表面貼付用のラベルに商品名、値段、産地名、原材料名と、当該商品に含まれる添加物名等の情報が商品の裏面に貼付したラベルに記載されていることを示唆する“添加物名は裏面記載”などを印字し、裏面貼付用のラベルには前記添加物名などを印字する。
【０００４】
台紙レスラベル発行装置は、印字文字数に応じてラベル発行方向の印字領域の長さを可変とすることができるため、前記裏面貼付用のラベルに印字する情報を表面貼付用のラベル１枚に納め印字発行することができる。
【先行技術文献】
【特許文献】
【０００５】
【特許文献１】特開２００１−３１５７３７号公報
【発明の概要】
【発明が解決しようとする課題】
【０００６】
しかしながら、台紙付きラベル発行装置で使用する印字データを用いて、台紙レスラベル発行装置で商品に貼付するラベルを印字発行させた場合、前述の通り、印字データを表面貼付用のラベル１枚に収めることができるため、ラベル印字内容に不要な印字（例えば、“添加物名は裏面記載”など）が含まれラベル発行されてしまう場合がある。
また、台紙レスラベル発行装置であっても、商品の形状または寸法などにより表面貼付用のラベルの長さを制限しなければならない場合があり、このような場合には、表面貼付用のラベル１枚に商品情報が収まりきらないため、収まりきらない商品情報を裏面貼付用のラベルに印字し発行する場合もある。このような場合は、表面貼付用のラベルには、商品の裏面に貼付したラベルに記載されている内容を示唆する、例えば、“添加物名は裏面記載”などをラベルに含め印字発行する必要がある。
また、上記問題を解決するために、商品情報を含む印字内容の設定を仕直すことも考えられるが、設定忘れをした場合、印字されたラベル表記を見る顧客に対し誤解を生じさせる場合がある。
【０００７】
本発明は、上述した問題に鑑みてなされたもので、ラベル発行装置毎に商品情報の再設定を行なうことなく、共通の商品情報を用いて、ラベルの貼付態様（或いは、発行態様）に対応させて最適な印字を行うことを目的とする。
【課題を解決するための手段】
【０００８】
本発明のラベル発行装置は、ロール状のラベル用紙を繰り出し、所定の印字フォーマットに基づいて印字部で前記ラベル用紙に商品情報を印字して商品に貼付するラベルを発行するラベル発行装置であって、前記商品の識別情報と商品情報とを関連付けて記憶する商品情報記憶部と、前記商品に貼付するラベルの発行後に更にその商品に貼付するラベルを発行する発行態様に対応して特定文字列を記憶する特定文字列記憶部と、商品の識別情報を入力する入力部と、少なくとも前記印字部を制御する制御部とを有し、前記入力部から前記識別情報が入力された場合、前記制御部は、前記商品に貼付するラベルの発行後に更にその商品に貼付するラベルを発行する発行態様である場合にのみ前記特定文字列を含め、前記印字部で前記識別情報に対応する商品情報を前記ラベル用紙に印字する処理を行うことを特徴とする。
上記ラベル発行装置は、入力部から前記識別情報が入力された場合、制御部が前記商品に貼付するラベルの発行後に、更にその商品に貼付するラベルを発行する発行態様である場合にのみ前記特定文字列を含め、前記識別情報に対応する商品情報を前記ラベル用紙に印字する処理を行うので、台紙レスラベル発行装置や台紙付きラベル発行装置それぞれで、共通の商品情報を用いて、ラベル用紙の発行態様（或いは、貼付態様）に対応した最適な印字を行うことができる。
【発明の効果】
【０００９】
本発明によれば、共通の商品情報を用いて、台紙レスラベル発行装置、台紙付きラベル発行装置それぞれで、ラベル用紙の発行態様（或いは、貼付態様）に対応した最適な印字を行うことができる。
【図面の簡単な説明】
【００１０】
【図１】本発明の実施形態に係るラベル発行装置を備えた包装装置の一例を示す概念図。
【図２】本発明の実施形態に係るラベル発行装置のラベル用紙およびラベル貼付形態の一例を示す図、（ａ）は表裏貼り用台紙付きラベル、（ｂ）は表貼り用台紙レスラベルの一例を示す図。
【図３】本発明の実施形態に係るラベル発行装置を備えた包装装置の一例を示す斜視図。
【図４】本発明の実施形態に係るラベル発行装置を備えた包装装置の概要を示す図。
【図５】本発明の実施形態に係るラベル発行部の一例を示す図。
【図６】本発明の実施形態に係るラベル発行装置を備えた包装装置の電気的なブロック図。
【図７】本発明の実施形態に係るラベル発行装置の商品情報、印字フォーマット、台紙付きラベルなどの一例を示す図、（ａ）は識別情報と商品情報とを関連づけたファイル、（ｂ）は表貼用台紙付きラベルへの印字フォーマット、（ｃ）は表貼用台紙付きラベル、（ｄ）は裏貼用台紙付きラベルへの印字フォーマット、（ｅ）は裏貼用台紙付きラベル、（ｆ）は台紙レスラベルへの印字フォーマット、（ｇ）は台紙レスラベルの一例を示す図。
【図８】本発明の実施形態に係るラベル発行装置の動作の一例を示すフローチャート。
【発明を実施するための形態】
【００１１】
本発明の実施形態に係る包装装置１００が備えるラベル発行部４０（台紙レスラベル発行装置）を図面に基づいて説明する。
図１は、本発明の実施形態に係るラベル発行装置の一例を示す概念図である。図２は本発明の実施形態に係るラベル発行装置を備えた包装装置のラベル用紙およびラベル貼付形態の一例を示す図である。図２（ａ）は表裏貼り用台紙付きラベル用紙Ｌ１、Ｌ２の一例を示す図、図２（ｂ）は表貼り用台紙レスラベル用紙Ｌ３の一例を示す図である。
図３は本発明の実施形態に係るラベル発行部４０を備えた包装装置１００の一例を示す斜視図である。図４は本発明の実施形態に係るラベル発行部４０を備えた包装装置１００の概要を示す図である。図５は本発明の実施形態に係る包装装置１００のラベル発行部４０の一例を示す図である。図６は本発明の実施形態に係るラベル発行部４０を備えた包装装置１００の電気的なブロック図である。
【００１２】
図１に示したように、本発明の実施形態では、台紙付きラベル発行装置２００と台紙レスラベル発行装置を備えた包装装置１００とで、商品に貼付されるラベルに印字する際、記憶部（データベース）などに記憶されている共通の商品情報３００（印字情報）を用いて、それぞれのラベル用紙の種類、それに対応した印字フォーマット情報に基づいて、各ラベル用紙に印字する発行態様（あるいは、貼付態様）に対応した特定文字列（特定文字）を商品情報から除いてそのラベル用紙に印字を行う。
【００１３】
詳細には、本発明の実施形態に係る包装装置１００のラベル発行部４０（台紙レスラベル発行装置）は、ロール状のラベル用紙を繰り出し、所定の印字フォーマットに基づいて印字部２５でラベル用紙に商品情報を印字してラベルを発行する。
【００１４】
この包装装置１００のラベル発行部４０は、商品の識別情報と商品情報とを関連付けて記憶する商品情報記憶部３４１と、印字部（サーマルヘッド２５ｂ）で用いられるラベル用紙の発行態様（あるいは、貼付態様）に対応する特定文字列（キーワード）を記憶する特定文字列記憶部３４２と、商品の識別情報を入力する入力部（操作入力部３８）と、少なくとも印字部２５を制御する制御部３１と、を有する。
【００１５】
制御部３１は、入力部から識別情報が入力された場合、印字部２５で用いられるラベル用紙の種類に基づいて、識別情報に対応する商品情報から、その印字部２５で用いられるラベル用紙に印字不要な文字列を除いて、そのラベル用紙に印字する処理を行う。
【００１６】
台紙付きラベル発行装置２００は、例えば、図２（ａ）に示したように、表貼り用台紙付き用紙Ｌ１を発行し、裏貼り用台紙付き用紙Ｌ２を発行する（裏貼り用の台紙レスラベルプリンタであってもよい）。
表貼り用台紙付き用紙Ｌ１は、トレイ上に配置された被包装物をフィルムにより包装された商品Ｗの表面側Ｗａに貼付される。表貼り用台紙付き用紙Ｌ１には、商品名、値段、原産地名、原材料名、“添加物名は裏面記載”などが印字されている。
裏貼り用台紙付き用紙Ｌ２は商品Ｗの裏面側Ｗｂに貼付される。裏貼り用台紙付き用紙Ｌ２には添加物名などが印字されている。
【００１７】
包装装置１００の台紙レスラベル発行部４０は、図２（ｂ）に示したように、可変長の台紙レスラベル用紙Ｌ３を発行する。台紙レスラベルＬ３は、商品Ｗの表面側Ｗａなどに貼付される。この台紙レスラベルＬ３には、上記商品名、値段、原産地名、原材料名、添加物名などの商品情報を１枚のラベルに収め印字されている。つまり、台紙レスラベル発行装置（ラベル発行部ともいう）４０は、１枚の台紙レスラベルＬ３に、上記表貼り用台紙付き用紙Ｌ１の印字内容（商品情報）と裏貼り用台紙付き用紙Ｌ２の印字内容（商品情報）の和から“添加物名は裏面記載”などの台紙レスラベル用紙へ印字不要な特定文字列（特定文字）を差し引いた印字内容（商品情報）を印字する。
このように、台紙レスラベル発行装置４０（ラベル発行部）は、印字部（サーマルヘッド２５ｂ）２５で用いられるラベル用紙の発行態様または貼付態様（所謂、商品へのラベル貼付が２枚貼り設定であるか否か）に応じて、台紙レスラベル用紙に印字不要な特定文字列を商品情報から除いて、台紙レスラベル用紙に印字を行う。
【００１８】
台紙付きラベル発行装置２００は、印字部２５で用いられるラベル用紙の発行態様または貼付態様（所謂、商品へのラベル貼付が２枚貼り設定であるか否か）に応じて、台紙付きラベル用紙に印字不要な特定文字列を商品情報から除いて、台紙付きラベル用紙に印字を行う。
【００１９】
以下、本発明の実施形態に係る包装装置１００のラベル発行部４０を詳細に説明する。
図１〜図５に示したように、包装装置１００は、包装機能と共に商品に貼付するラベルを発行するラベル発行装置を有する。詳細には、包装装置１００は、ストレッチ包装部１１と、ラベル発行部（計量ラベルプリンタ）４０と、ラベル発行部４０から発行された台紙レスラベル用紙を受け取って包装済みの商品Ｗにそのラベル用紙を貼付するラベル貼付部４１と、などを有する。
ラベル発行部４０はストレッチ包装部１１におけるヒータ１０（ヒートシール部）の側方上部に配置され、ラベル貼付部４１はラベル発行部４０の近傍に配置されている。
【００２０】
ストレッチ包装部１１は、機枠１１ａの前方に商品Ｗを載置する商品載置部１２が配置され、その商品載置部１２に載せた商品Ｗをプッシャコンベア１３により機枠内部に設けたエレベータ１４まで搬送する。
尚、商品Ｗは容器であるトレイに収容された状態で搬送される場合を例示する。商品載置部１２は計量部５０の計量皿として構成されており、その商品載置部１２の手前側近傍に商品Ｗの横幅を検出する幅検出センサ１５ａが設けられている。
さらに、プッシャコンベア１３による商品搬送路上には、そのプッシャコンベア１３の側方に位置させて商品Ｗの高さを検出する高さ検出センサ１５ｂ、及び商品載置部１２と高さ検出センサ１５ｂとの間に商品Ｗの奥行き寸法（搬送方向に沿った長さ寸法）を計測する長さ検出センサ１５ｃが設けられている。
上記エレベータ１４の上方には包装部１６が設けられ、その包装部１６の側方（プッシャコンベアと直角に交差した方向）にフィルムロール１７をセットし、該フィルムロール１７から繰り出されるフィルム１７ａをフィルムフィード機構５により引き出し、所定長さにカットした後に包装部１６まで移送する。
【００２１】
上記包装部１６には、フィルムフィード機構５の上方に、商品Ｗの上面を覆うフィルム１７ａの端部を商品Ｗの底部側に折り込む後折り込み部材６と左右折り込み部材７，７’、その左右折り込み部材７，７’の上方に位置して包装済みの商品Ｗを排出する排出プッシャ（プッシャ）８、及び、排出プッシャ８の移動方向前方位置に前折り込みローラ９が配設されている。
上記フィルムフィード機構５は、フィルムの幅方向の側端部を挟持する上下一対の無端状の弾性ベルト５ａ，５ｂと、下側の弾性ベルト５ｂを上側の弾性ベルト５ａ側へ圧接するクランプ板５ｃとで構成され、それらが包装部１６を挟んで前後に配置されている。
【００２２】
また、前折り込みローラ９の前方には、商品Ｗの底面側に折り込まれたフィルムの端部の重なり部を加熱して接着し排出するヒータ（ヒートシール部）１０とその前部に排出部が配設され、機枠１１ａ上には表示操作部４（コンソール部）が、更にヒータ（ヒートシール部）１０の側方上部にラベル発行部４０（計量ラベルプリンタ）が、ヒータ（ヒートシール部）１０の上方にはラベル貼付部４１が設置されている。
【００２３】
ヒータ（ヒートシール部）１０は、複数のプーリに亘ってガラス繊維等からなる無端状ベルトが回転可能に巻回され、その無端状ベルトの搬送面（往路側ベルト）の下部に熱板が配置されて構成されている。熱板は電気的に加熱されヒータ（ヒートシール部）の熱源となる。また、熱板は温度検出手段として制御手段を構成するサーモスタット（図示省略）に電気的に接続され、一定温度になるように制御されている。サーモスタットが所定値以上の温度になると熱板への通電が遮断され、所定値以下の温度になると熱板に通電される。そして、無端状ベルトはベルト全体がヒートシール可能な温度に加熱されている。
【００２４】
プッシャ８の底部には、発泡合成樹脂、例えばポリスチレンフォーム、硬質ウレタンフォーム、ポリエチレンフォーム、フェノールフォーム等の断熱材で構成された保温部が、排出プッシャ８の底部一面に設けられている。そして、排出プッシャ８の底部に設けられた保温部の底面はヒータ（ヒートシール部）１０の上面（無端状ベルトの表面）に対して擦らないよう僅かな隙間が設けられている。
【００２５】
また、排出プッシャ８の押圧面（商品Ｗと接触してその被包装物を押圧移送する面）の前面には、保温部を構成する断熱材と同様の断熱材が貼着されて断熱部が構成されている。これにより金属板で構成された押圧面がヒータ１０の熱で熱くなったとしても、包装済みの商品Ｗと接する部分は断熱材からなる断熱部である為、包装するフィルムに熱で穴が開くのを防止することができる。
【００２６】
また、排出プッシャ８を移動させる駆動機構（図示省略）には、その排出プッシャ８が待機位置に位置することを検知する第１プッシャ位置検出センサと、排出プッシャ８が包装済みの商品Ｗを排出部上に排出する保温位置（即ち、保温部がヒータ１０上に位置する）に移動したことを検知する第２プッシャ位置検出センサが設けられている。これにより、保温部（排出プッシャ８）の待機位置、保温位置への移動制御が行なわれる。
つまり、待機位置は、排出プッシャ８の包装動作としての待機位置と、保温部としての排出プッシャ８がヒータ上から退避する位置との両方を兼ねている。
【００２７】
また、保温位置は、排出プッシャ８が商品Ｗを排出部へ排出するという包装動作の完了を示す位置と、保温部としての排出プッシャ８がヒータ（ヒートシール部）１０上に位置し、ヒータ（ヒートシール部）１０を保温する位置との両方を兼ねている。尚、例えば、第１プッシャ位置検出センサは透過型フォトセンサが使用され、該位置にて排出プッシャ８に付いているフラグがセンサを遮ることで該位置に排出プッシャ８が位置していることを検知し、第２プッシャ位置検出センサには、例えば反射型フォトセンサが使用されており、排出プッシャ８にて遮られることで排出プッシャ８が該位置に位置していることを検出する。
【００２８】
上記構成のストレッチ包装部１１は、プッシャコンベア１３でエレベータ１４上に搬送された商品Ｗがエレベータ１４の上昇により包装部１６に張架されたフィルム１７ａに対して突き上げられ、商品Ｗの上面を覆ったフィルム１７ａの端部は、後折り込み部材６と左右折り込み部材７，７’とにより商品Ｗの底面側に折り込まれる。
次に、排出プッシャ８により商品Ｗはヒータ（ヒートシール部）１０へ向けて水平に押動され、その押動の途中、フィルム１７ａの前側端部は前折り込みローラ９で商品Ｗの底面側に折り込まれ、その底面側に折り込まれたフィルム端部の重なり部はヒータ（ヒートシール部）１０でヒートシールされ、フィルムで包装された商品Ｗが得られる。そして、その包装を完了した商品Ｗは排出プッシャ８の押動によってヒータ（ヒートシール部）１０上から排出部上に排出される。この時、保温部底部に備えた排出プッシャ８はヒータ（ヒートシール部）１０上に位置し、ヒータ（ヒートシール部）１０の表面は保温部で覆われる。
【００２９】
ラベル貼付部４１は、ラベル発行部４０から発行されたラベルを受け取って搬送テーブル１’上を移動する商品（物品）Ｗにラベルを貼付する。詳細には、ラベル貼付部４１は、発行されるラベルを、空気の負圧作用によってラベルを吸着保持し、そのラベルを吸着保持した部材を、移動中の商品（物品）Ｗに押し付けてラベルを物品に貼付するように構成されている。ラベル貼付部４１によって貼付するラベルの貼付位置は、商品（物品）Ｗの大きさ（例えば、トレーのサイズ）や形によって異なる。そのため、ラベル貼付部４１は、搬送される商品（物品）Ｗの大きさや形に合わせてラベルの貼付位置を変更できるように移動可能に支持されている。
【００３０】
図４に示したように、ラベル発行部（プリンタ）４０は、ラベル用紙として一方面が印字面で他方面が粘着層を有する貼付面である長尺帯状のラベル用紙２１’がロール巻きされた台紙レスラベルロール２１を用いる台紙レスラベル発行部である。
【００３１】
ラベル発行部４０は、ケース４０ａ内にロール装填部２３が設けられ、そのロール装填部２３にセットされる台紙レスラベルロール２１のラベル用紙の繰り出し方向前方位置に、印字部２５と、印字された台紙レスラベル用紙を所定長さに切断する切断手段２６と、が配置されている。台紙レスラベルロール２１は、ロール装填部２３に回転可能に支持される。
切断手段２６は、印字部２５で商品などの情報が印字され、ラベル送出口に向けて送出されるラベル用紙２１’を所定長さの枚葉状に切断する。切断手段２６は、ラベル送出口より水平状に送出されるラベル用紙２１’を挟むように配置した上下一対の可動刃２６ａと固定刃２６ｂとを有する。
【００３２】
印字部２５は、ラベル用紙２１’の下方（貼付面側）に位置するプラテンローラ２５ａと、ラベル用紙２１’の上方（印字面側）に位置するサーマルヘッド２５ｂとを有する。プラテンローラ２５ａは、後述するステッピングモータ２５ｃによって駆動回転するように構成されている。
ラベル用紙２１’の上方に位置するサーマルヘッド２５ｂは、ラベル用紙２１’を下側のローラ（プラテンローラ２５ａ）とで挾着するように下方に付勢され、それによりラベル用紙２１’を安定して送出し得るように構成されている。
【００３３】
また、印字部２５のプラテンローラ２５ａは、表面に剥離剤がコーティングされており、ラベル用紙２１’の印字面とは反対側面に塗着されている粘着剤が付着しないように構成され、それによってラベル用紙２１’の送出が円滑に行われるようになっている。尚、ラベル用紙２１’の粘着層が上記ローラに付着しにくくする構成は上記構成に限らず、上記ローラ自体又はローラの最外周部分を易剥離性の部材で構成してもよい。
【００３４】
図６は、上述したようにラベル発行装置を備えた包装装置１００の電気的なブロック図である。
包装装置１００は、ラベル発行貼付部４０Ｅと包装機構制御部１０２Ｅとを備えている。ラベル発行貼付部４０Ｅは、主としてラベル発行部４０とラベル貼付部４１などの制御を行なうもので、制御部（ＣＰＵ）４１によって制御される。包装機構制御部１０２Ｅは、主としてストレッチ包装機１０２の機構部の制御を行うもので、ＣＰＵ６１によって制御される。
【００３５】
＜包装機構制御部１０２Ｅ＞
包装機構制御部１０２Ｅは、ＣＰＵ６１、通信用インタフェース回路（ＩＮＦ）６５、ＲＯＭ６２、ＲＡＭ６３、操作部６４、及び、機構駆動部６６を有する。各構成要素はバス（データ通信線など）６１ａを介して接続されている。
【００３６】
通信用インタフェース回路（ＩＮＦ）６５は、ラベル発行貼付部４０Ｅと各種データ、指令の通信を行なうための回路である。
【００３７】
ＲＯＭ６２は、ＣＰＵ６１が実行する制御プログラムを記憶している。
ＲＡＭ６３は、ＣＰＵ６１がＲＯＭ６２の制御プログラムを実行する場合に用いる各種レジスタ及びフラグのエリアの他に、商品の形状データ（縦、横、高さ）に基づいて制御データを決定するための各種テーブル等が記憶されている。
操作部６４は、装置の起動、停止等のためのスイッチである。
【００３８】
機構駆動部６６は、包装を実行する場合に包装機の各機構部を駆動するための回路で、具体的にはエレベータを駆動するモータ６７、被包装物を搬入するプッシャコンベアの搬入モータ６８、フィルムフィード機構のフィルム移送モータ６９等がある。尚、包装機の詳細については説明を省略する。
また、機構駆動部６６には、被包装物の横幅を検出する商品の幅検出センサ１５ａと、被包装物の高さを検出する高さ検出センサ１５ｂ、商品の長さを検出する長さ検出センサ１５ｂが接続されており、検出データをＣＰＵ６１へ供給するようになっている。
【００３９】
ラベル発行貼付部４０Ｅから包装機構制御部１０２Ｅへ、商品載置部上に載置された被包装物の計量が安定したことを報知する信号が送信される。また、包装機構制御部１０２Ｅからラベル発行貼付部４０Ｅへ、ラベル貼付位置決定のためのデータとして、幅検出センサ１５ａで検出された一方の長さデータ（商品の中央から幅方向端部までの長さデータ）と、検出センサ１５ｂ、１５ｃにより検出された高さデータと、長さ（奥行き）データとなどが送信される。
【００４０】
＜ラベル発行貼付部４０Ｅ＞
ラベル発行貼付部４０Ｅは、制御部３１、記憶部３２、表示操作部（コンソール部）４、通信用のインタフェース回路（ＩＮＦ）４６、第１の物品検出センサ３５、第２の物品検出センサ３６、ラベル発行部４０、ラベル貼付部４１、貼付駆動部４２、搬送駆動部４３、商品検出センサ５９、計量部５０、などを有する。各構成要素は、バス３１ａ（データ通信線）などを介して接続されている。
【００４１】
ラベル発行部４０は、サーマルヘッド（印字手段）２５ｂ、プラテンローラ２５ａを駆動するステッピングモータ２５ｃ、サーマルヘッド２５ｂで印字したラベル用紙２１’を切断する切断手段２６としてのカッターなどを有する。サーマルヘッド２５ｂ（印字部２５）、ステッピングモータ２５ｃ、切断手段２６としてのカッターなどは、インタフェース３７を介して、制御部３１に接続されている。
【００４２】
記憶部３２は、台紙レスラベルのラベル長などを記憶する。
記憶部３２は、ＲＯＭ３３、ＲＡＭ３４などの記憶装置を有する。
ＲＯＭ３３には、制御部３１が実行する各種制御プログラムが記憶されている。
ＲＡＭ３４は、制御部３１がＲＯＭ３３の制御プログラムを実行する場合に用いる各種レジスタ、フラグ等のエリアと、商品毎に予め各種データが記憶されたプリセットデータエリアとを備えている。
プリセットデータエリアには、被包装物（商品番号）に対応して、値段計算及びラベル印字用のデータである「品名」、「単価」、「バーコード」等の各種商品データが記憶された商品ファイル、ラベル印字のフォーマットが定義されたラベルフォーマットファイル、トレイファイルなどが記憶されている。
【００４３】
また、ＲＡＭ３４は、商品情報記憶部３４１、特定文字列記憶部３４２などを有する。
商品情報記憶部３４１は、商品の識別情報と商品情報とを関連付けて記憶する。
特定文字列記憶部３４２は、印字部２５で用いられるラベル用紙の種類に対応して印字不要な特定文字列を記憶する。特定文字列記憶部３４２は、例えば、ラベル用紙の発行態様または貼付態様に対応する“添加物名は裏面記載”などの文字列を記憶する。この特定文字列記憶部３４２に記憶された特定文字列は、例えば、表示操作部４の操作入力部３８からの操作情報や、可搬型記憶装置に記憶された情報、通信ネットワークを介して接続された外部の情報処理装置などに記憶された情報、などにより設定される。
【００４４】
表示操作部（コンソール部）４は、キーボードやタッチパネルなどを備える操作入力部３８と、液晶表示器などで構成された表示部３９と、を有する。表示操作部（コンソール部）４は、各種データ及び指令の入力、或いは制御部３１の指令に基づいて入力データの表示、プリセットデータの表示、各種メッセージの表示を行う。
本発明における商品の識別情報の入力に関する各種データの入力などは、この表示操作部４の操作入力部３８を操作することで行うことができる。
計量部５０は、商品載置部に載置された被包装物の計量信号を制御部３１へ供給するものである。
【００４５】
通信用のインタフェース回路（ＩＮＦ）４６は、包装機構制御部１０２Ｅと各種データ、指令の通信を行う。
サーマルヘッド２５ｂ、プラテンローラ２５ａを駆動するステッピングモータ２５ｃ、切断手段２６としてのカッターは、ラベル発行部４０の印字部２５を構成し、制御部３１の指令に基づいて台紙レスラベルテープに品名、値段、単価、バーコード等の印字を行い、印字したラベルテープを切断手段２６としてのカッターで枚葉状に切断して、台紙レスラベルＬをラベル発行口に発行する。
商品検出センサ５９は、排出路の側方で、吸着部が貼付のために垂直下降する位置の若干手前（包装部寄り）に配置され、該排出路に包装物の有無を検出して、ラベル貼付のための信号を発生する。商品検出センサ５９は、包装物がラベル貼付場所、即ち排出路（ヒートシール部）へ位置した場合、その旨を制御部３１へ出力する。
【００４６】
搬送駆動部４３は、搬送コンベア（搬送手段１）を駆動する搬送モータなどを有し、制御部３１の制御により搬送モータを駆動または駆動停止を行う。
【００４７】
第１の物品検出センサ３５は、発光部と受光部などから構成され、搬送コンベア（搬送手段１）の上流側に設置されており、搬送手段１により搬送される商品Ｗを検知し、それを示す信号を制御部３１に出力する。制御部３１は、その信号を基に商品Ｗへのラベル貼付のタイミングを調整する。
【００４８】
第２の物品検出センサ３６は、ラベル貼付領域Ｌｐまたはその近傍に、商品Ｗが載置されているか否かを示す信号を制御部３１に出力する。第２の物品検出センサ３６は、発光部および受光部を有する。
【００４９】
制御部３１は、各構成要素を統括的に制御する。制御部３１は、記憶部３２から読み出した制御プログラム（ＰＲＧ）などを実行することにより、コンピュータとしてのラベル発行部４０を含む包装装置１００に各機能を実現させる。
【００５０】
制御部３１は、入力部（操作入力部３８）から識別情報が入力された場合、印字部２５で用いられるラベル用紙の種類に基づいて、識別情報に対応する商品情報から印字不要な特定文字列を除いて、該ラベル用紙に印字する処理を行う。
【００５１】
また、制御部３１は、台紙レスラベル用紙Ｌに印字部２５により印字を行う場合、記憶部３２から読み出した、識別情報に対応する台紙付きラベル用紙印字用の商品情報から、台紙レスラベル用紙に印字する際に印字不要な特定文字列を除いて、その台紙レスラベル用紙に印字する処理を行う。
【００５２】
また、制御部３１は、貼付対象物の表裏面の一方または両方へのラベル用紙の貼付形態のうち、貼付対象物の表裏面の一方にのみ貼付されるラベル用紙に印字する場合、印字不要な特定文字列を除いて、そのラベル用紙に印字する処理を行う。
【００５３】
貼付駆動部４２は、ラベル発行部４０から発行されたラベルを吸着する位置と、ラベル貼付領域Ｌｐに載置された商品Ｗのラベル貼付位置との間で、ラベル貼付部４１を駆動機構などで制御部３１の制御により移動させる。
【００５４】
ラベル発行部４０、ラベル貼付部４１などについては、上述したので説明を省略する。
【００５５】
＜ラベル発行装置の動作＞
図７は、本発明の実施形態に係るラベル発行部４０の商品情報、印字フォーマット、台紙付きラベルなどの一例を示す図であり、図７（ａ）は識別情報と商品情報とを関連づけたファイル、図７（ｂ）は表貼用台紙付きラベルへの印字フォーマット、図７（ｃ）は表貼用台紙付きラベル、図７（ｄ）は裏貼用台紙付きラベルへの印字フォーマット、図７（ｅ）は裏貼用台紙付きラベル、図７（ｆ）は台紙レスラベルへの印字フォーマット、図７（ｇ）は台紙レスラベルの一例を示す図である。
図８は、本発明の実施形態に係る包装装置１００のラベル発行部４０の動作の一例を示すフローチャートである。
【００５６】
ステップＳＴ１１において、制御部３１は、表示操作部４などから商品情報の識別情報が入力されると、その商品の識別情報を記憶部３２に一時的に記憶する。
【００５７】
ステップＳＴ１３において、制御部３１は、印字部２５で用いられるラベル用紙の種類を特定する。例えば、制御部３１は、記憶部３２に予め記憶された印字部２５で用いられるラベル用紙の種類を示す情報を読み出して、ラベル用紙の種類を特定してもよい。また、制御部３１は、表示操作部４から入力されたラベル用紙の種類を示す情報に基づいて、ラベル用紙の種類を特定してもよい。また、ラベル発行装置は、ラベル用紙の種類を検出する検出部を備え、制御部３１がその検出部の検出結果に基づいて、ラベル用紙の種類を特定してもよい。
ステップＳ１５において、商品の識別情報に基づき、図７（ａ）に示したように、商品情報記憶部３４１から、商品の識別情報に対応する商品情報（品名、バーコード、値段、産地名、添加物以外の原材料名、注意書き（“添加物名は裏面記載”）、添加物名、店名など）を読み出す。なお、商品情報に２枚貼りを行うか否かの設定（発行態様または貼付態様の設定）を設けておいても良い。例えば、発行態様の設定フラグが“１”の場合、１枚の台紙レスラベルに全ての商品情報を収めて印字を行う、フラグが“２”の場合は、商品情報内で情報量の多い項目を２枚目のラベルに印字する（例えば、商品名、値段、産地名、バーコードなどを１枚目のラベルに印字して発行し、添加物名等の印字量が多い項目は２枚目のラベルに印字して発行する制御が行われ、１枚目に発行されるラベルは商品の表面に貼付し、２枚目に発行されるラベルは該商品の裏面に貼付する）。
【００５８】
ステップＳＴ１７において、制御部３１は、印字部２５で用いられるラベル用紙の発行態様が２枚貼り設定である場合、ステップＳＴ２５の処理に分岐し、印字部２５で用いられるラベル用紙の発行態様が２枚貼りの設定でない場合、ステップＳＴ１９の処理に進む。
ステップＳＴ１９において、制御部３１は、台紙レスラベル等の印字フォーマットにおいて、印字発行される方向の長さが規定の長さに限定されている場合、印字する添加物名等の文字が所定の印字フォーマットの印字領域に収まるか否か（例えば、台紙レスラベル１枚に商品情報を収めて印字した場合、前記規定されている長さを超えてしまうか否か）を判定し、収まらない（例えば、規定の長さを超える）場合はステップＳＴ３１へ分岐し、収まる（例えば、規定の長さ以内である）場合はステップＳＴ２１へ進む。なお、台紙レスラベル等の印字フォーマットにおいて、印字発行方向の長さが規定の長さに限定されていない場合は、ステップＳＴ２１へ進む。なお、印字フォーマットの印字発行方向の長さの規定は、印字発行されるラベル全体の長さを所定の長さに規定する方式でも良いし、印字フォーマット内の特定印字項目（例えば、添加物名など）が印字発行される方向の長さを所定の長さに規定する方式等の何れの方式であってもよい。
【００５９】
ステップＳＴ２１において、制御部３１は、印字部２５で用いられるラベル用紙の発行態様が２枚貼り設定でないので、図７（ａ）に示したように、商品情報記憶部３４１から、商品の識別情報に対応する商品情報（品名、バーコード、値段、産地名、添加物以外の原材料名、注意書き（“添加物名は裏面記載”）、添加物名、店名など）を読み出し、特定文字列記憶部３４２から台紙レスラベル用紙に印字不要な特定文字列“添加物名は裏面記載”などを読み出す。
【００６０】
ステップＳＴ２３において、制御部３１は、ＲＡＭのワークエリアに記憶した商品情報（品名、バーコード、値段、産地名、添加物以外の原材料名、注意書き（“添加物名は裏面記載”）、添加物名、店名など）から、ラベル用紙に印字不要な特定文字列“添加物名は裏面記載”などを検索し、ワークエリアの商品情報から特定文字列を除く処理を行い印字データである商品情報を確定する処理をする。
【００６１】
ステップＳＴ２５において、制御部３１は、図７（ｆ）に示した台紙レスラベル用紙印字用の印字フォーマット情報などに基づいて、ワークエリアの商品情報に基づいて、台紙レスラベル用紙に印字部２５により印字する処理を行う。
詳細には、制御部３１は、貼付対象物（商品Ｗ）の表裏面の一方または両方へのラベル用紙の発行対象あるいは貼付形態のうち、図２（ｂ）に示したように、貼付対象物の表裏面の一方にのみ貼付されるラベル用紙（台紙レスラベル用紙）に印字する場合、上記印字不要な特定文字列を除いて、印字部２５により上記ラベル用紙に印字する処理を行う。
【００６２】
ステップ処理においてラベル貼付処理に関する詳細を記載していないが、実施例のように包装装置である場合は、ステップＳＴ２５の処理の後に、制御部３１は、図２（ｂ）に示したように、上記台紙レスラベル用紙Ｌ３を、ラベル貼付部４１により、商品Ｗの表面側Ｗａなどに貼付する処理を行う。制御部３１は、次のラベル発行処理およびラベル貼付処理を行う場合、ステップＳＴ１１の処理に進み、それ以外の場合、一連のラベル発行処理およびラベル貼付処理を終了する。
【００６３】
次に、ラベル用紙に印字する添加物名等が印字領域よりも多い場合を説明する。
ステップＳＴ３１において、制御部３１は、ラベル用紙の発行態様あるいは貼付態様を２枚貼り設定に切り換えた場合、例えば、図７（ａ）に示した商品の識別情報に対応した商品情報を、図７（ｂ）に示した表貼付用印字フォーマットなどに基づいて、図７（ｃ）に示したように、表貼り用台紙付ラベル用紙に印字する処理を行い、図７（ａ）に示した商品の識別情報に対応した商品情報を、図７（ｄ）に示した裏貼付用印字フォーマットなどに基づいて、図７（ｅ）に示したように、裏貼り用台紙付ラベル用紙に印字する処理を行う。この印字処理の際、特定文字列を除去する処理は行わない。
【００６４】
ステップ処理においてラベル貼付処理に関する詳細を記載していないが、実施例のように包装装置である場合は、ステップＳＴ３１の処理の後に、制御部３１は、図２（ａ）に示したように、表貼り台紙付きラベル用紙Ｌ１を商品Ｗの表面側に、裏貼り台紙付きラベル用紙Ｌ２を商品Ｗの裏面側に、ラベル貼付部４１により貼付する処理を行う。制御部３１は、次のラベル発行処理およびラベル貼付処理を行う場合、ステップＳＴ１１の処理に進み、それ以外の場合、一連のラベル発行処理およびラベル貼付処理を終了する。
【００６５】
以上、説明したように、本発明の実施形態では、台紙付きラベル発行装置２００と台紙レスラベル発行装置を備えた包装装置１００とで、商品に貼付されるラベルに印字する際、記憶部（データベース）などに記憶されている共通の商品情報３００（印字情報）を用いて、ラベルの貼付形態（表面貼付、裏面貼付、表裏両面貼付など）、詳細には、それぞれのラベル用紙の種類、例えば表面貼付用台紙付きラベル、裏面貼付用台紙付きラベル、可変長の表面貼付用台紙レスラベル、可変長の裏面貼付用台紙レスラベル、表面（裏面）および側面貼付用の可変長の台紙レスラベルなどや、それに対応した印字フォーマット情報に基づいて、商品情報から適宜特定文字列（特定文字）を除いた印字をラベル用紙に行う、または、商品情報から所定の特定文字列（特定文字）を除かずにラベル用紙に印字を行う。
このため、共通の商品情報（台紙付きラベル用紙印字用の商品情報）を用いて、台紙レスラベル発行装置、台紙付きラベル発行装置それぞれで、ラベル用紙の種類に対応した最適な印字を行うことができる。
【００６６】
また、本発明の実施形態に係る包装装置１００のラベル発行部４０は、ロール状のラベル用紙を繰り出し、所定の印字フォーマットに基づいて印字部２５でラベル用紙Ｌに商品情報を印字して商品に貼付するラベルを発行する。ラベル発行部４０は、商品の識別情報と商品情報とを関連付けて記憶する商品情報記憶部３４１と、商品に貼付するラベルの発行後に更にその商品に貼付するラベルを発行するラベル発行態様に対応する特定文字列を記憶する特定文字列記憶部３４２と、商品の識別情報を入力する入力部（操作入力部３８）と、印字部２５などを制御する制御部３１を有する。制御部３１は、入力部（操作入力部３８）から識別情報が入力された場合、商品に貼付するラベルの発行後に更にその商品に貼付するラベルを発行するラベル発行態様である場合にのみ特定文字列を含め、印字部２５で識別情報に対応する商品情報をラベル用紙Ｌに印字する処理を行う。つまり、商品情報に元々含まれている特定文字列をそのままにして印刷を行う。
このため、共通の商品情報を用いて、ラベル用紙の発行態様（或いは、貼付態様）に対応した最適な印字を行うことができる。
【００６７】
詳細には、制御部３１は、入力部から識別情報が入力され、商品に１枚だけ貼付するラベルを発行するラベル発行態様である場合に、特定文字列を除いて印字部２５で識別情報に対応する商品情報をラベル用紙に印字する処理を行い、商品に対して２枚貼りなど複数貼りの設定時には特定文字列を除くことなく、特定文字列を含めたまま印字部２５で識別情報に対応する商品情報をラベル用紙Ｌに印字する処理を行う。このため、共通の商品情報を用いて、ラベル用紙の発行態様（或いは、貼付態様）に対応した最適な印字を行うことができる。
また、特定のラベル発行態様（例えば、商品に１枚だけ貼付するラベルを発行するラベル発行態様）の場合に印字すべき情報であり且つ商品情報に含まれていない情報を記憶部３２に記憶し、制御部３１は、上記特定のラベル発行態様の場合に、識別情報に対応する商品情報に上記印字すべき情報を追加して印字処理を行う。
【００６８】
また、特定文字列記憶部３４２は、ラベル用紙Ｌの貼付対象物への貼付形態により特定文字列を記憶する。制御部３１は、貼付対象物の表裏面の一方または両方へのラベル用紙Ｌの貼付形態のうち、貼付対象物の表裏面の両方に貼付されるラベル用紙を印字する場合にのみ、特定文字列を含めて、そのラベル用紙に印字する処理を行う。
このため、簡単な構成で、貼付対象物の表裏面の両方に貼付されるラベル用紙を印字する場合にのみ、特定文字列を含めて、そのラベル用紙に印字する処理を行うことができる。
【００６９】
また、包装装置１００は、商品の識別情報と商品情報とを関連付けて記憶する商品情報記憶部３４１と、ラベル発行部４０の印字部（サーマルヘッド）２５ｂで用いられるラベル用紙Ｌの種類に対応して印字不要な特定文字列を記憶する特定文字列記憶部３４２と、商品の識別情報を入力する入力部（操作入力部３８）と、印字部２５などを制御する制御部３１と、を有する。
この制御部３１は、操作入力部３８から識別情報が入力された場合、印字部２５で用いられるラベル用紙の種類に基づいて、ラベル用紙が印字不要な特定文字列を除いて、そのラベル用紙に印字する処理を行う。
このため、共通の商品情報（台紙付きラベル用紙印字用の商品情報）を用いて、包装装置が備える台紙レスラベル発行装置、台紙付きラベル発行装置それぞれで、ラベル用紙の種類に対応した最適な印字を行うことができる。
【００７０】
尚、記憶部３２の設定ファイルに、ラベル用紙の種類を示す設定情報を記憶してもよい。ラベル用紙の種類を検出するラベル種類検出部により、ラベル発行部４０で用いられるラベル用紙の種類を検出して、記憶部３２にラベル用紙の種類を示す設定情報を記憶してもよい。または、操作者（オペレータ）などの操作により操作入力部３８（選択手段）で入力された、ラベル発行部４０にセットされたラベル用紙の種類を示す設定情報を記憶部３２に記憶してもよい。制御部３１は、この設定情報を参照して、ラベル発行部４０で用いられるラベル用紙の種類を特定する。
こうすることで、簡単な構成で、ラベルをラベル用紙の種類に対応した最適な印字を行うことができるラベル発行装置を提供することができる。
【００７１】
また、本発明の実施形態に係る包装装置が備えるラベル発行装置は、商品情報記憶部３４１が、商品の識別情報と台紙付きラベル用紙印字用の商品情報とを関連付けて記憶する。特定文字列記憶部３４２は、台紙レスラベル用紙に印字する際に印字不要な特定文字列を記憶する。台紙レスラベル用紙に印字部２５により印字を行う場合、制御部３１が、識別情報に対応する台紙付きラベル用紙印字用の商品情報から、印字不要な特定文字列を除いて、その特定文字列が除かれた商品情報を台紙レスラベル用紙に印字する処理を行う。
このため、簡単な構成で、台紙付きラベル用紙印字用の商品情報を用いて、その台紙付きラベル用紙印字用の商品情報から、台紙レスラベル用紙への印字に不要な特定文字列を除いて、その特定文字列が除かれた商品情報を台紙レスラベル用紙に印字することができるラベル発行装置を提供することができる。
【００７２】
また、本発明の実施形態に係る包装装置１００のラベル発行部４０は、特定文字列記憶部３４２は、ラベル用紙の貼付対象物への貼付形態により印字不要な特定文字列を記憶する。詳細には、例えば、貼付対象物の表裏面の一方にのみ貼付されるラベル用紙（例えば、可変長の台紙レスラベル用紙など）に印字不要な特定文字列を記憶する。制御部３１は、貼付対象物の表裏面の一方または両方へのラベル用紙の貼付形態のうち、貼付対象物の表裏面の一方にのみ貼付されるラベル用紙に印字する場合、印字不要な特定文字列を除いて、該ラベル用紙に印字する処理を行う。
【００７３】
このため、共通の商品情報を用いて、ラベルの貼付形態に応じた印字処理、詳細には、一枚の可変長の台紙レスラベル用紙に、商品情報から印字不要な特定文字列を除く印字を行い、表裏貼りの台紙付きラベル用紙に商品情報を印字する処理を行うことができる。
【００７４】
また、本発明の実施形態に係るラベル発行装置は、所定の印字フォーマットが、ラベル用紙の種別として、台紙付きラベル、あるいは、台紙レスラベルの何れかの種別を記憶している。入力部としての操作入力部３８は、印字フォーマットを選択する選択手段を更に備える。制御部３１は、この選択手段により選択された所定の印字フォーマットの種別が台紙レスラベルである場合、識別情報に対応する商品情報から、印字不要な特定文字列を除いて、その台紙レスラベル用紙に印字する処理を行う。
このため、簡単な構成で、貼付形態に応じて印字不要な特定文字を削除して印字処理を行うので、ラベルに印字された不要な表記によって顧客を戸惑わせることがなくなる。
【００７５】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００７６】
なお、本発明の実施の形態において包装装置に備え付けられたプリンタは、台紙付用紙のラベルプリンタと台紙無しのラベルプリンタとなっているがこれに限らず、両方のプリンタを台紙無し、あるいは、台紙付きのプリンタの何れか一方の仕様のプリンタであってもよい。
また、商品の裏面にラベルを貼付するために商品排出部側の搬送路下部に裏面貼付用のラベルプリンタを組付け、そのプリンタにより２枚目に発行されるラベル（例えば、添加物名等が印字されたラベル）を貼付するようにしてもよい。
【００７７】
また、本発明の実施の形態において包装装置のラベル発行装置を示したがこれに限らず、包装機能を有しないラベルプリンタ単体であってもよいし、計量装置付のラベルプリンタであってもよい。なお、前記ラベルプリンタである場合、ラベル発行口を複数備え、２枚貼り設定がなされている場合、ラベルの発行口を変えてラベルを発行するようにしてもよい。
【００７８】
［付記１］
ロール状のラベル用紙を繰り出し、所定の印字フォーマットに基づいて印字部で前記ラベル用紙に商品情報を印字して商品に貼付するラベルを発行するラベル発行装置であって、
前記商品の識別情報と商品情報とを関連付けて記憶する商品情報記憶部と、
前記商品に貼付するラベル用紙の商品への貼付形態により特定文字列を記憶する特定文字列記憶部と、
商品の識別情報を入力する入力部と、
少なくとも前記印字部を制御する制御部と、を有し、
前記制御部は、前記入力部から前記識別情報が入力された場合、前記商品の表裏面の一方または両方への前記ラベル用紙の貼付形態のうち、前記商品の表裏面の両方に貼付されるラベル用紙を印字する場合にのみ、前記特定文字列を含めて、該ラベル用紙に印字する処理を行うことを特徴とするラベル発行装置。
【符号の説明】
【００７９】
１  ベルトコンベア（搬送手段）
１’  搬送テーブル
４  表示操作部（タッチパネル）
５  フィルムフィード機構
５ａ  弾性ベルト
５ｂ  弾性ベルト
５ｃ  クランプ板
６  後折り込み部材
７  左右折り込み部材
８  排出プッシャ（プッシャ）
９  前折り込みローラ
１０  ヒータ
１１  ストレッチ包装部
１２  商品載置部
１３  プッシャコンベア
１４  エレベータ
１５ａ  幅検出センサ
１５ｂ  高さ検出センサ
１５ｃ  長さ検出センサ
１６  包装部
１７  フィルムロール
１７ａ  フィルム
２１  ラベル用紙（台紙レスラベルロール）
２３  ロール装填部
２５  印字部
２５ａ  プラテンローラ
２５ｂ  サーマルヘッド
２５ｃ  ステッピングモータ
２６  切断手段（カッター）
２６ａ  可動刃
２６ｂ  固定刃
３１  制御部（ＣＰＵ）
３１ａ  バス（データ通信線）
３２  記憶部
３３  ＲＯＭ
３４  ＲＡＭ
３５  第１の物品検出センサ
３６  第２の物品検出センサ（検出部）
３６ａ  発行部
３６ｂ  受光部
３７  インタフェース
３８  操作入力部（入力部、選択手段）
３９  表示部
４０  ラベル発行部（台紙レスラベル発行装置）
４０Ｅ  ラベル発行貼付部
４０ａ  ケース
４１  ラベル貼付部（貼付部）
４２  貼付駆動部
４３  搬送駆動部
５０  計量部
５９  商品検出センサ
６１  ＣＰＵ
６２  ＲＯＭ
６３  ＲＡＭ
６４  操作部
６６  機構駆動部
６７  モータ
６８  搬入モータ
６９  フィルム移送モータ
１００  包装装置
１０２Ｅ  包装機構制御部
２００  台紙付きラベル発行装置
３００  商品情報
３４１  商品情報記憶部
３４２  特定文字列記憶部
【図１】
2014028644.tif 000003
【図２】
2014028644.tif 000004
【図３】
2014028644.tif 000005
【図４】
2014028644.tif 000006
【図５】
2014028644.tif 000007
【図６】
2014028644.tif 000008
【図７】
2014028644.tif 000009
【図８】
2014028644.tif 000010